(57)【要約】  【課題】  ゲーム機の利用に対する課金額等の変更を柔軟に行うとともに、その変更を有為なものとすることのできる遊技場における決済システムおよび決済装置を提供する。  【解決手段】  ゲーム機１４（１４−１〜１４−ｎ）のそれぞれに対応した複数の電子マネー端末装置１３（１３−１〜１３−ｎ）を介して決済用ＩＣカードとの間で決済処理を行う決済装置１１による決済処理での課金設定が、設定端末１２により変更された場合に、決済装置１１が、課金設定の変更があったことを示す情報を配信装置５３に通知し、配信装置５３が通信端末７（７−１〜７−ｑ）に対して当該情報を配信する。【選択図】        図１
2010009528.tif 000002
【特許請求の範囲】
【請求項１】
遊技場に設置された複数の遊技装置の利用料を電子決済する遊技場における決済システムにおいて、
前記遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う決済装置と、
前記決済装置による決済処理での課金設定を変更する設定装置と、
前記設定装置により前記課金設定が変更された場合に、該変更があったことを示す情報を予め定めた複数の通信端末に対して配信する配信装置と
を具備することを特徴とする遊技場における決済システム。
【請求項２】
前記配信装置は、前記決済装置を介して前記設定装置による前記課金設定の変更があったことを示す通知を受信した際に、前記情報を前記通信端末に対して配信することを特徴とする請求項１記載の遊技場における決済システム。
【請求項３】
前記設定装置と前記決済装置は、同じ遊技場に配設されることを特徴とする請求項２記載の遊技場における決済システム。
【請求項４】
前記決済装置は、前記設定装置を具備することを特徴とする請求項３記載の遊技場における決済システム。
【請求項５】
遊技場に設置された複数の遊技装置の利用料を電子決済する遊技場における決済装置において、
前記遊技装置のそれぞれに対応した複数の電子マネー端末装置を介して決済用ＩＣカードとの間で決済処理を行う決済処理手段と、
前記決済処理手段による決済処理での課金設定を変更する課金設定変更手段と、
前記課金設定変更手段が課金設定を変更した場合に該課金設定の変更を予め定めた通知先に通知する通知手段と
を具備することを特徴とする遊技場における決済装置。
【請求項６】
前記課金設定変更手段は、複数の設定装置のいずれかからの指示に応じて前記課金設定を変更し、
前記通知手段は、前記課金設定変更手段が前記設定装置のうち予め定めた設定装置からの指示に応じて前記課金設定を変更した場合に該課金設定の変更を通知する
ことを特徴とする請求項５記載の遊技場における決済装置。
【請求項７】
前記課金設定の変更指示を受け付ける指示受付手段をさらに具備し、
前記課金設定変更手段は、前記指示受付手段が受け付けた変更指示に基づいて前記課金設定を変更する
ことを特徴とする請求項５記載の遊技場における決済装置。
【発明の詳細な説明】
【技術分野】
【０００１】
本発明は、遊技場における決済システムおよび決済装置に関し、特に、電子決済により遊技機の利用料の決済を行う遊技場における決済システムおよび決済装置に関する。
【背景技術】
【０００２】
近年、通信技術等の発達に伴い、様々な情報を提供するサービスが実施されている。このようなサービスには、例えば、遊技場に関する情報を電子メールで会員等に通知するものがある（例えば、特許文献１参照）。
【０００３】
一方、最近では、ＩＣ（Integrated Circuit）カード等の媒体に記憶された電子情報を利用した電子決済、いわゆる電子マネーによる決済が普及してきている。電子マネーによる決済は、小額の決済にも対応できるため、ゲームセンター等の遊技場における決済に利用することも提案されている。
【特許文献１】特開２００１−６２１３３号公報
【発明の開示】
【発明が解決しようとする課題】
【０００４】
ところで、電子マネーによる決済処理では、当該決済処理をコンピュータ等を用いて行うため、ゲーム機の利用に対する課金額の変更等も、現金により決済を行う場合と比較して容易となる。このため、遊技場の状況に応じて柔軟に課金額の変更等を行うことなども考えられる。
【０００５】
そこで、本発明は、ゲーム機の利用に対する課金額等の変更を柔軟に行うとともに、その変更を有為なものとすることのできる遊技場における決済システムおよび決済装置を提供することを目的とする。
【課題を解決するための手段】
【０００６】
上述した目的を達成するため、請求項１の発明は、遊技場に設置された複数の遊技装置の利用料を電子決済する遊技場における決済システムにおいて、前記遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う決済装置と、前記決済装置による決済処理での課金設定を変更する設定装置と、前記設定装置により前記課金設定が変更された場合に、該変更があったことを示す情報を予め定めた複数の通信端末に対して配信する配信装置とを具備することを特徴とする。
【０００７】
また、請求項２の発明は、請求項１の発明において、前記配信装置は、前記決済装置を介して前記設定装置による前記課金設定の変更があったことを示す通知を受信した際に、前記情報を前記通信端末に対して配信することを特徴とする。
【０００８】
また、請求項３の発明は、請求項２の発明において、前記設定装置と前記決済装置は、同じ遊技場に配設されることを特徴とする。
【０００９】
また、請求項４の発明は、請求項３の発明において、前記決済装置は、前記設定装置を具備することを特徴とする。
【００１０】
また、請求項５の発明は、遊技場に設置された複数の遊技装置の利用料を電子決済する遊技場における決済装置において、前記遊技装置のそれぞれに対応した複数の電子マネー端末装置を介して決済用ＩＣカードとの間で決済処理を行う決済処理手段と、前記決済処理手段による決済処理での課金設定を変更する課金設定変更手段と、前記課金設定変更手段が課金設定を変更した場合に該課金設定の変更を予め定めた通知先に通知する通知手段とを具備することを特徴とする。
【００１１】
また、請求項６の発明は、請求項５の発明において、前記課金設定変更手段は、複数の設定装置のいずれかからの指示に応じて前記課金設定を変更し、前記通知手段は、前記課金設定変更手段が前記設定装置のうち予め定めた設定装置からの指示に応じて前記課金設定を変更した場合に該課金設定の変更を通知することを特徴とする。
【００１２】
また、請求項７の発明は、請求項５の発明において、前記課金設定の変更指示を受け付ける指示受付手段をさらに具備し、前記課金設定変更手段は、前記指示受付手段が受け付けた変更指示に基づいて前記課金設定を変更することを特徴とする。
【発明の効果】
【００１３】
本発明によれば、ゲーム機の利用に対する課金額等の変更を柔軟に行うことが可能となるとともに、その課金額等の変更に伴う経営上の効果を向上させることが可能となる。
【発明を実施するための最良の形態】
【００１４】
以下、本発明に係る遊技場における決済システムおよび決済装置の一実施の形態について、添付図面を参照して詳細に説明する。
【実施例】
【００１５】
図１は、決済システムの構成例を示した図である。同図に示す決済システムは、複数の店舗１（１−１〜１−ｐ）と、本決済装置４、管理センター５、通信端末７（７−１〜７−ｑ）が、インターネット２、専用ネットワーク３、モバイルネットワーク６を介して接続されている。
【００１６】
店舗１は、ゲームセンター等の遊技場であり、決済装置１１と、設定端末１２、電子マネー端末１３（１３−１〜１３−ｎ、１３’）、ゲーム機１４（１４−１〜１４−ｎ）、自動販売機１５等を有している。決済装置１１は、ゲーム機１４や自動販売機１５に対応する電子マネー端末１３を介して決済用ＩＣカード（不図示）との間で決済情報の授受を行って決済処理を行うとともに、インターネット２を介して本決済装置４との間で決済情報の授受を行って本決済処理を行う。この構成では、決済装置１１による決済処理で決済用ＩＣカードを利用する利用者との決済は一応終了することとなるが、最終的には、決済装置１１が電子マネー事業者が運用する本決済装置４との間で決済情報の授受を行うことで、決済を終了することとなる。設定端末１２は、決済装置１１とネットワーク若しくは通信線（シリアル通信等）を介して接続され、ゲーム機の利用に対する課金額等の変更を指示する。なお、詳細は、後述するが、設定端末１２は、決済装置１１に含めるように構成することもできる。
【００１７】
インターネット２は、各店舗１と本決済装置４、管理センター５、モバイルネットワーク等との間で通信を行うために利用されるものであるが、必ずしもインターネットである必要は無く、他のネットワークを利用することも可能である。
【００１８】
専用ネットワーク３は、各店舗１に配設されたゲーム機１４と管理センター５との間で通信を行うために利用されるものであるが、インターネット２等の他のネットワークを利用することも可能である。
【００１９】
本決済装置４は、電子マネー事業者が運用するもので、決済用ＩＣカードとの間で決済情報を授受するか、決済装置１１との間で当該決済装置１１が決済を行った決済用ＩＣカードの情報を含む決済情報を授受することにより、決済処理を行うものである。なお、図１に示したシステムでは、決済装置１１との間で決済情報を授受することにより決済処理を行う。
【００２０】
管理センター５は、店舗１の管理等を行うもので、ゲーム管理装置５１と、課金設定変更装置５２、配信装置５３を有している。ゲーム管理装置５１は、専用ネットワーク３を介してゲーム機１４との間で通信を行い、ゲーム機１４のプログラム書き換え等の処理を行う。課金設定変更装置５２は、インターネット２を介して決済装置１１との間で通信を行い、ゲーム機の利用に対する課金額等の変更を指示する。配信装置５３は、ゲーム機の利用に対する課金額等の変更を行ったこと等を利用者に通知するために、電子メール等による案内を送信する。なお、ゲーム管理装置５１、課金設定変更装置５２、配信装置５３は、必ずしも管理センター５に配設する必要は無く、各装置の運用者を別途にすることも可能である。
【００２１】
モバイルネットワーク６は、携帯電話会社等が運用するネットワークであり、通信端末７に電子メールの送信等を行う際に利用される。
【００２２】
通信端末７は、遊技場１の利用者が所持するもので、配信装置５３が送信する電子メール等の受信に利用される。
【００２３】
図２は、図１に示した決済システムを簡略化するとともに、その情報等の流れを示した図である。この決済システムで決済処理（ゲーム機の利用）を行う場合には、決済装置１１が電子マネー端末１３を介して決済用ＩＣカードとの間で決済処理を行い、決済処理に成功すると、その旨が決済装置１１から電子マネー端末１３に通知され、電子マネー端末１３は、ゲーム機１４に利用を許可する許可信号を発することとなる。また、決済装置１１は、所定の条件、例えば、一定時間の経過や一定数の決済処理実行に従って、本決済装置４との間で通信を行い、本決済処理を行う。
【００２４】
また、店舗１の全てまたは一定地域内の店舗１におけるゲーム機１４（全てのゲーム機１４または特定のゲーム機１４）の利用料金を一斉に変更する場合には、対象となる店舗１の決済装置１１に対して課金設定変更装置５２が課金額の変更を指示し、決済装置１１は、当該指示に従って課金額の変更処理を行う。
【００２５】
また、店舗１のいずれかで、天候や時間帯の影響等により店舗内が閑散として場合等、当該店舗１の店長等の裁量でゲーム機１４（全てのゲーム機１４または特定のゲーム機１４）の利用料金を一時的に変更する場合には、店長等が設定端末１２を操作して決済装置１１に対して課金額の変更とその適用時間等を指示し、決済装置１１は、当該指示に従って課金額の変更処理を行う。決済装置１１は、設定端末１２からの指示に基づいて課金額の変更を行った際には、その旨を配信装置５３に通知する。配信装置５３は、決済装置１１からの通知をトリガにして、利用者にゲーム機１４の利用料金が変更されたことを通知する電子メールを作成し、作成した電子メールを通信端末７に送信する。
【００２６】
次に、決済装置１１の詳細について説明する。図３は、決済装置１１の機能的な構成を示すブロック図である。同図に示すように、決済装置１１は、決済処理部１１１と、課金設定記憶部１１２、課金設定処理部１１３、課金設定通知部１１４を有している。
【００２７】
決済処理部１１１は、電子マネー端末１３を介して決済用ＩＣカードとの間で決済処理を行うとともに、本決済装置４との間で本決済処理を行う。課金設定記憶部１１２は、決済処理部１１１が決済処理を行う際の各ゲーム機１４の利用に対する課金額等の課金設定を記憶する。課金設定処理部１１３は、課金設定変更装置５２からの指示や設定端末１２からの指示に基づいて、課金設定記憶部１１２に記憶している課金設定を変更する。課金設定通知部１１４は、課金設定処理部１１３が設定端末１２からの指示に基づいて課金設定を変更した際に、該変更内容を配信装置５３に通知する。
【００２８】
なお、前述のように、決済装置１１は、設定端末１２の機能を有するように構成することができるが、その場合には、図４に示す決済装置１１’のように、ユーザインタフェイスとなる情報表示・指示入力部１１５を有することとなる。
【００２９】
図５は、決済装置１１の構成例を示した図である。なお、同図においては、決済装置１１は、設定端末１２の機能を有さず、設定端末１２とネットワークを介して通信を行う場合を示している。
【００３０】
同図（ａ）に示した例では、決済装置１１は、ＣＰＵ（Central Processing Unit）１０１とＥＥＰＲＯＭ（Electrically Erasable and Programmable Read Only Memory）１０２、ＲＡＭ（Random Access Memory）１０３、ＮＩＣ（Network Interface Card）１０４がバス１０５で接続されることで構成される。
【００３１】
ＣＰＵ１０１は、プロセッサであり、ＥＥＰＲＯＭ１０２に記憶されているプログラムに基づいて動作し、図３に示した決済処理部１１１を実現するとともに、ＥＥＰＲＯＭ１０２に記憶されている別のプログラムに基づいてＮＩＣ１０４の制御を含め、図３に示した課金設定記憶部１１２、課金設定処理部１１３、課金設定通知部１１４の各部を実現する。
【００３２】
ＥＥＰＲＯＭ１０２は、書き換え可能な不揮発性記憶装置であり、図３に示した各部を実現するためのプログラム等が記憶されている。
【００３３】
ＲＡＭ１０３は、情報等を一時的に記憶する記憶装置であり、ＣＰＵ１０１が動作する際に、情報等の一時記憶に利用される。
【００３４】
ＮＩＣ１０４は、ネットワークとのインタフェイスとなる通信装置である。
【００３５】
また、同図（ｂ）に示した例では、決済装置１１は、ＣＰＵ１０１とＥＥＰＲＯＭ１０２、ＲＡＭ１０３、ＮＩＣ１０４、モジュールＩ／Ｆ１０６がバス１０５で接続され、モジュールＩ／Ｆ１０６に決済用モジュール１０７が接続されることで構成される。
【００３６】
ＣＰＵ１０１は、プロセッサであり、ＥＥＰＲＯＭ１０２に記憶されているプログラムに基づいてＮＩＣ１０４の制御を含め、図３に示した課金設定記憶部１１２、課金設定処理部１１３、課金設定通知部１１４の各部を実現する。
【００３７】
ＥＥＰＲＯＭ１０２は、書き換え可能な不揮発性記憶装置であり、図３に示した課金設定記憶部１１２、課金設定処理部１１３、課金設定通知部１１４の各部を実現するためのプログラム等が記憶されている。
【００３８】
ＲＡＭ１０３は、情報等を一時的に記憶する記憶装置であり、ＣＰＵ１０１が動作する際に、情報等の一時記憶に利用される。
【００３９】
ＮＩＣ１０４は、ネットワークとのインタフェイスとなる通信装置である。
【００４０】
モジュールＩ／Ｆ１０６は、決済用モジュール１０７を接続するためのインタフェイスである。
【００４１】
決済用モジュール１０７は、プロセッサとこれを動作させるプログラムを記憶しているもので、決済処理部１１１を実現する。
【００４２】
なお、図５（ａ）に示した構成と図５（ｂ）に示した構成は、電子マネー事業者による決済処理部１１１を実現するためのプログラム等の提供方法により異なるものであり、前者が決済処理部１１１を実現するためのプログラムが提供される場合で、後者が決済処理部１１１を実現するためのモジュールが提供される場合の構成例である。
【００４３】
次に、決済装置１１の動作について説明する。図６は、決済装置１１の動作の流れを示すフローチャートである。
【００４４】
決済装置１１は、電子マネー端末装置１３からの決済要求があると（ステップ２０１でＹＥＳ）、後述する決済処理を行う（ステップ２０２）。
【００４５】
また、決済装置１１は、本決済処理を行うための条件、例えば、一定時間の経過や一定数の決済処理実行に合致すると（ステップ２０３でＹＥＳ）、決済処理部１１１が本決済装置４との間で通信を行い、本決済処理を行う（ステップ２０４）。
【００４６】
また、決済装置１１は、課金設定変更装置５２から課金設定変更指示を受けると（ステップ２０５でＹＥＳ）、課金設定処理部１１３が課金設定の変更処理を行う（ステップ２０６）。
【００４７】
また、決済装置１１は、設定端末１２から接続要求を受けると（ステップ２０７でＹＥＳ）、後述する端末要求処理を行う（ステップ２０８）。
【００４８】
次に、ステップ２０２の決済処理について説明する。図７は、決済処理の流れを示すフローチャートである。
【００４９】
決済処理では、まず、決済処理部１１１が電子マネー端末１３から受信した要求に基づいて、決済対象となるゲーム機１４等を確認する（ステップ２２１）。続いて、決済処理部１１１は、課金設定記憶部１１２に記憶されている課金設定のうち、決済対象に応じた課金設定を確認する（ステップ２２２）。そして、電子マネー端末１３を介して決済用ＩＣカードから決済情報を読み取り（ステップ２２３）、決済が可能であると判断すると（ステップ２２４でＹＥＳ）、電子マネー端末１３を介して決済用ＩＣカード更新した決済情報を書き込み（ステップ２２５）、電子マネー端末１３に決済が成立した旨を通知し（ステップ２２６）、決済処理を終了する。
【００５０】
一方、決済処理部１１１が電子マネー端末１３を介して決済用ＩＣカードから決済情報を読み取った際に、決済が不可能であると判断した場合には（ステップ２２４でＮＯ）、電子マネー端末１３に決済が不成立である旨を通知し（ステップ２２７）、決済処理を終了する。
【００５１】
次に、ステップ２０８の端末要求処理について説明する。図８は、端末要求処理の流れを示すフローチャートである。
【００５２】
端末要求処理では、まず、課金設定処理部１１３が設定端末１２に指示入力画面を提供する（ステップ２８１）。この指示入力画面は、例えば、ウェブブラウザで表示可能なＨＴＭＬ等で記述された情報として提供される。
【００５３】
そして、設定端末１２から指示入力があり（ステップ２８２でＹＥＳ）、当該指示が課金設定の変更指示であれば（ステップ２８３でＮＯ、ステップ２８４でＹＥＳ）、課金設定処理部１１３は、設定端末１２に課金設定画面を提供し（ステップ２８５）、設定事項が入力されるのを待つ（ステップ２８６でＮＯ）。この課金設定画面は、例えば、ウェブブラウザで表示可能なＨＴＭＬ等で記述された情報として提供される。
【００５４】
設定端末１２から設定事項が入力されると（ステップ２８６でＹＥＳ）、課金設定処理部１１３は、入力された設定事項に従って課金設定を変更し（ステップ２８７）、課金設定通知部１１４が課金設定の変更内容を配信装置５３に通知する（ステップ２８８）。
【００５５】
一方、設定端末１２から課金設定変更以外の指示入力があると（ステップ２８２でＹＥＳ、ステップ２８３でＮＯ、ステップ２８４でＮＯ）、決済装置１１は、指示入力に対応する処理を行うが（ステップ２８９）、当該処理の説明は省略する。
【００５６】
そして、端末装置１２から終了指示が入力されると（ステップ２８２でＹＥＳ、ステップ２８３でＹＥＳ）、決済装置１１は、端末要求処理を終了する。
【００５７】
なお、ここでは、ステップ２８１で課金設定処理部１１３が設定端末１２に指示入力画面を提供し、ステップ２８５で課金設定処理部１１３が設定端末１２に課金設定画面を提供するものとして説明しているが、設定端末１２に予め設定用のソフトウェアをインストールしておく構成とした場合には、指示入力画面と課金設定画面の提供は不要である。
【００５８】
次に、課金設定が変更された場合の各装置間の情報等の流れについて説明する。図９は、課金設定が変更された場合の各装置間の情報等の流れを示した図である。
【００５９】
まず、決済装置１１に対して、課金設定変更装置５２から課金設定の変更指示があった場合には（ステップ３０１）、決済装置１１は、当該指示に応じて課金設定の変更を行い（ステップ３０２）、その結果を課金設定変更装置５２に通知する（ステップ３０３）。その後、課金設定変更装置５２若しくはその操作者等が配信装置５３に、課金設定を変更した旨を示す通知を行い（ステップ３０４）、処理が終了となる。
【００６０】
一方、決済装置１１に対して、設定端末１２から課金設定の変更指示があった場合には（ステップ３１１）、決済装置１１は、当該指示に応じて課金設定の変更を行い（ステップ３１２）、その結果を設定端末１２に通知するとともに（ステップ３１３）、配信装置５３に、課金設定を変更した旨を示す通知を行い（ステップ３１４）、処理が終了となる。
【図面の簡単な説明】
【００６１】
【図１】決済システムの構成例を示した図である。
【図２】図１に示した決済システムを簡略化するとともに、その情報等の流れを示した図である。
【図３】決済装置１１の機能的な構成を示すブロック図である。
【図４】決済装置１１の機能的な構成を示すブロック図である。
【図５】決済装置１１の構成例を示した図である。
【図６】決済装置１１の動作の流れを示すフローチャートである。
【図７】決済処理の流れを示すフローチャートである。
【図８】端末要求処理の流れを示すフローチャートである。
【図９】課金設定が変更された場合の各装置間の情報等の流れを示した図である。
【符号の説明】
【００６２】
１（１−１〜１−ｐ）    店舗
２    インターネット
３    専用ネットワーク
４    本決済装置
５    管理センター
６    モバイルネットワーク
７（７−１〜７−ｑ）    通信端末
１１、１１’    決済装置
１２    設定端末
１３（１３−１〜１３−ｎ、１３’）    電子マネー端末装置
１４（１４−１〜１４−ｎ）    ゲーム機
１５    自動販売機
５１    ゲーム管理装置
５２    課金設定変更装置
５３    配信装置
１０１    ＣＰＵ
１０２    ＥＥＰＲＯＭ
１０３    ＲＡＭ
１０４    ＮＩＣ
１０５    バス
１０６    モジュールＩ／Ｆ
１０７    決済用モジュール
１１１    決済処理部
１１２    課金設定記憶部
１１３    課金設定処理部
１１４    課金設定通知部
１１５    情報表示・指示入力部
【図１】
2010009528.tif 000003
【図２】
2010009528.tif 000004
【図３】
2010009528.tif 000005
【図４】
2010009528.tif 000006
【図５】
2010009528.tif 000007
【図６】
2010009528.tif 000008
【図７】
2010009528.tif 000009
【図８】
2010009528.tif 000010
【図９】
2010009528.tif 000011
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
複数の遊技場に設置された複数の遊技装置の利用料を電子決済する遊技場における決済システムにおいて、
前記遊技装置のそれぞれに配設され、該遊技場に設置された遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う複数の決済装置と、
前記決済装置の全てと通信手段を介して接続され、該決済装置の全て又は該決済装置のうち一定地域の遊技場に配設された決済装置の課金設定を変更する課金設定変更装置と
を具備することを特徴とする遊技場における決済システム。
【請求項２】
前記課金設定変更装置により前記課金設定が変更された場合に、該変更があったことを示す情報を予め定めた複数の通信端末に対して配信する配信装置をさらに具備することを特徴とする請求項１記載の遊技場における決済システム。
【請求項３】
複数の遊技場に設置された複数の遊技装置の利用料を電子決済する遊技場における決済システムにおいて、
前記遊技装置のそれぞれに配設され、該遊技場に設置された遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う複数の決済装置と、
前記遊技装置のそれぞれに配設され、該遊技場に設置された前記決済装置の課金設定を一定期間変更する課金設定一時変更装置と
を具備することを特徴とする遊技場における決済システム。
【請求項４】
前記決済装置と通信手段を介して接続され、該決済装置から前記課金設定一時変更装置により前記課金設定が変更されたことを示す情報を受信した場合に、該変更があったことを示す情報を予め定めた複数の通信端末に対して配信する配信装置をさらに具備することを特徴とする請求項３記載の遊技場における決済システム。
【請求項５】
遊技場に設置された複数の遊技装置の利用料を電子決済する遊技場における決済装置において、
前記遊技装置のそれぞれに対応した複数の電子マネー端末装置を介して決済用ＩＣカードとの間で決済処理を行う決済処理手段と、
前記決済処理手段による決済処理での課金設定の変更を指示する課金設定変更装置との通信を行う通信手段と、
前記通信手段を介して前記課金設定変更装置から指示を受けた場合に、該指示に応じて前記課金設定を変更する課金設定変更手段と
を具備することを特徴とする遊技場における決済装置。
【請求項６】
遊技場に設置された複数の遊技装置の利用料を電子決済する遊技場における決済装置において、
前記遊技装置のそれぞれに対応した複数の電子マネー端末装置を介して決済用ＩＣカードとの間で決済処理を行う決済処理手段と、
前記決済処理手段による決済処理での課金設定の変更を指示する課金設定一時変更装置との通信を行う通信手段と、
前記通信手段を介して前記課金設定一時変更装置から変更指示と該変更指示の適用時間を受けた場合に、該適用時間の間、該変更指示に応じて前記課金設定を変更する課金設定変更手段と
を具備することを特徴とする遊技場における決済装置。
【請求項７】
前記課金設定変更手段が課金設定を変更した場合に該課金設定の変更を、情報の配信を行う配信装置に通知する通知手段をさらに具備することを特徴とする請求項６記載の決済装置。
【手続補正２】
【補正対象書類名】明細書
【補正対象項目名】０００６
【補正方法】変更
【補正の内容】
【０００６】
上述した目的を達成するため、請求項１の発明は、複数の遊技場に設置された複数の遊技装置の利用料を電子決済する遊技場における決済システムにおいて、前記遊技装置のそれぞれに配設され、該遊技場に設置された遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う複数の決済装置と、前記決済装置の全てと通信手段を介して接続され、該決済装置の全て又は該決済装置のうち一定地域の遊技場に配設された決済装置の課金設定を変更する課金設定変更装置とを具備することを特徴とする。
【手続補正３】
【補正対象書類名】明細書
【補正対象項目名】０００７
【補正方法】変更
【補正の内容】
【０００７】
また、請求項２の発明は、請求項１の発明において、前記課金設定変更装置により前記課金設定が変更された場合に、該変更があったことを示す情報を予め定めた複数の通信端末に対して配信する配信装置をさらに具備することを特徴とする。
【手続補正４】
【補正対象書類名】明細書
【補正対象項目名】０００８
【補正方法】変更
【補正の内容】
【０００８】
また、請求項３の発明は、複数の遊技場に設置された複数の遊技装置の利用料を電子決済する遊技場における決済システムにおいて、前記遊技装置のそれぞれに配設され、該遊技場に設置された遊技装置のそれぞれに対応した複数の電子マネー端末装置を介して利用者が所持している電子マネーが記憶された決済用ＩＣカード又は当該決済用ＩＣカードの情報が記憶された携帯端末との間で決済処理を行う複数の決済装置と、前記遊技装置のそれぞれに配設され、該遊技場に設置された前記決済装置の課金設定を一定期間変更する課金設定一時変更装置とを具備することを特徴とする。
【手続補正５】
【補正対象書類名】明細書
【補正対象項目名】０００９
【補正方法】変更
【補正の内容】
【０００９】
また、請求項４の発明は、請求項３の発明において、前記決済装置と通信手段を介して接続され、該決済装置から前記課金設定一時変更装置により前記課金設定が変更されたことを示す情報を受信した場合に、該変更があったことを示す情報を予め定めた複数の通信端末に対して配信する配信装置をさらに具備することを特徴とする。
【手続補正６】
【補正対象書類名】明細書
【補正対象項目名】００１０
【補正方法】変更
【補正の内容】
【００１０】
また、請求項５の発明は、遊技場に設置された複数の遊技装置の利用料を電子決済する遊技場における決済装置において、前記遊技装置のそれぞれに対応した複数の電子マネー端末装置を介して決済用ＩＣカードとの間で決済処理を行う決済処理手段と、前記決済処理手段による決済処理での課金設定の変更を指示する課金設定変更装置との通信を行う通信手段と、前記通信手段を介して前記課金設定変更装置から指示を受けた場合に、該指示に応じて前記課金設定を変更する課金設定変更手段とを具備することを特徴とする。
【手続補正７】
【補正対象書類名】明細書
【補正対象項目名】００１１
【補正方法】変更
【補正の内容】
【００１１】
また、請求項６の発明は、遊技場に設置された複数の遊技装置の利用料を電子決済する遊技場における決済装置において、前記遊技装置のそれぞれに対応した複数の電子マネー端末装置を介して決済用ＩＣカードとの間で決済処理を行う決済処理手段と、前記決済処理手段による決済処理での課金設定の変更を指示する課金設定一時変更装置との通信を行う通信手段と、前記通信手段を介して前記課金設定一時変更装置から変更指示と該変更指示の適用時間を受けた場合に、該適用時間の間、該変更指示に応じて前記課金設定を変更する課金設定変更手段とを具備することを特徴とする。
【手続補正８】
【補正対象書類名】明細書
【補正対象項目名】００１２
【補正方法】変更
【補正の内容】
【００１２】
また、請求項７の発明は、請求項６の発明において、前記課金設定変更手段が課金設定を変更した場合に該課金設定の変更を、情報の配信を行う配信装置に通知する通知手段をさらに具備することを特徴とする。